【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
情報処理装置と記憶装置とを電気的に接続するための変換アダプタであって、
前記情報処理装置の端子と前記記憶装置の端子とが直接接続されるように前記記憶装置を収容する第１の収容部と、
前記情報処理装置の端子が配置された第２の収容部への前記変換アダプタの収容をガイドするガイド部と、を有することを特徴とする変換アダプタ。
【請求項２】
前記第１の収容部は、前記記憶装置に形成される切り欠き部に嵌合するロック部材を有することを特徴とする請求項１に記載の変換アダプタ。
【請求項３】
前記第１の収容部は、前記記憶装置の側面に形成される凹部に嵌合するロック部材を有することを特徴とする請求項１に記載の変換アダプタ。
【請求項４】
前記ロック部材は、前記変換アダプタを前記第２の収容部に収容する際の収容方向と直交する方向に移動可能であることを特徴とする請求項２または３に記載の変換アダプタ。
【請求項５】
前記ロック部材は、前記変換アダプタを前記第２の収容部に収容する際の収容方向と直交する方向に回動可能であることを特徴とする請求項２または３に記載の変換アダプタ。
【請求項６】
前記第１の収容部は、前記変換アダプタを前記第２の収容部に収容する際の収容方向前部に位置するように、前記記憶装置を収容可能であることを特徴とする請求項１に記載の変換アダプタ。
【請求項７】
前記第１の収容部は、前記記憶装置の端子が、前記変換アダプタを前記第２の収容部に収容する際の収容方向前部に位置するように、前記記憶装置を収容可能であることを特徴とする請求項１に記載の変換アダプタ。
【請求項８】
情報処理装置と記憶装置とを電気的に接続するための変換アダプタであって、
前記情報処理装置と電気的に直接接続する端子を有する前記記憶装置と、
前記情報処理装置の端子が配置された収容部への前記変換アダプタの収容をガイドするガイド部とを有することを特徴とする変換アダプタ。
【手続補正２】
【補正対象書類名】明細書
【補正対象項目名】００１４
【補正方法】変更
【補正の内容】
【００１４】
上記目的を達成するため、本発明の変換アダプタは、情報処理装置と記憶装置とを電気的に接続するための変換アダプタであって、前記情報処理装置の端子と前記記憶装置の端子とが直接接続されるように前記記憶装置を収容する第１の収容部と、前記情報処理装置の端子が配置された第２の収容部への前記変換アダプタの収容をガイドするガイド部と、を有することを特徴とする。
【手続補正３】
【補正対象書類名】明細書
【補正対象項目名】００１５
【補正方法】変更
【補正の内容】
【００１５】
本発明によれば、記憶装置から情報処理装置の収容部内の端子へと続くデータ伝送路を簡素化し、データ伝送の信頼性を向上させることを可能とした変換アダプタを提供することができる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
（第１の実施の形態）
まず、第１の実施の形態について、図１乃至図７に基づき説明する。
【手続補正１０】
【補正対象書類名】明細書
【補正対象項目名】００２３
【補正方法】変更
【補正の内容】
【００２３】
図１は、本実施の形態に係る変換アダプタに着脱可能に収容される第１の記憶媒体及びこの第１の記憶媒体よりサイズの大きい第２の記憶媒体の構成を示す斜視図であり、同図において、１０１は第１の記憶媒体（記憶装置）、１０２は第２の記憶媒体である。
【手続補正１１】
【補正対象書類名】明細書
【補正対象項目名】００２４
【補正方法】変更
【補正の内容】
【００２４】
第１の記憶媒体１０１は、平面四角形状の筐体１０１ａを有している。この筐体１０１ａの前面中央部には、コネクタ１０１ｂ（端子）を有している。また、筐体１０１ａの外部両側面には、ガイド溝１０１ｃ，１０１ｄを有している。更に、筐体１０１ａの外部両側面中央位置には、ロック溝（切り欠き部、凹部）１０１ｅ，１０１ｆを有している。
【手続補正１２】
【補正対象書類名】明細書
【補正対象項目名】００２６
【補正方法】変更
【補正の内容】
【００２６】
第１の記憶媒体１０１のコネクタ１０１ｂ及び第２の記憶媒体１０２のコネクタ１０２ｂは、互いに同一構成で、情報処理装置である電子機器（図示しない。）等に備えられたコネクタと着脱可能に嵌合して、電気的に接続状態となる。
【手続補正１３】
【補正対象書類名】明細書
【補正対象項目名】００４８
【補正方法】変更
【補正の内容】
【００４８】
図５は、本実施の形態に係る変換アダプタ及び第１の記憶媒体１０１の構成を示す斜視図であり、同図において、図１と同一部分には同一符号が付してある。
【手続補正１４】
【補正対象書類名】明細書
【補正対象項目名】００４９
【補正方法】変更
【補正の内容】
【００４９】
図５において、５０１は本実施の形態に係る変換アダプタ（以下、アダプタと記述する。）で、平面四角形状の筐体５０１ａを有しており、この筐体５０１ａは、図２に示す第２の記憶媒体１０２の筐体１０２ａと同じ外形寸法となっている。アダプタ５０１は、第１の記憶媒体１０１が余裕をもって収容可能な大きさの収容部５０１ｂ（第１の収容部）を有している。この収容部５０１ｂは、平面コ字形状をなしており、その内部一側面には、凸部５０１ｃが設けられている。また、収容部５０１ｂの内部他側面には、ボス５０１ｄ，５０１ｅによって、収容方向と直交する矢印Ｅ，Ｆ方向に移動可能にガイドされ且つ矢印Ｅ方向に付勢されたロック部材５０１ｇが設けられている。このロック部材５０１ｇは摘み５０１ｈを有し、この摘み５０１ｈを摘んでロック部材５０１ｇを矢印Ｅ，Ｆ方向にスライドさせることができる。また、筐体５０１ａの外部両側面には、ガイド溝５０１ｊ，５０１ｋが形成されている。これらのガイド溝５０１ｊ，５０１ｋ（ガイド部）は、電子機器２０１のスロット２０１ｂ（第２の収容部）の内部両側のガイドレール３０１ｃ，３０１ｄに係合するようになっている。
【手続補正１５】
【補正対象書類名】明細書
【補正対象項目名】００５０
【補正方法】変更
【補正の内容】
【００５０】
ロック部材５０１ｇを矢印Ｆ方向にスライドさせた状態で第１の記憶媒体１０１を収容部５０１ｂ内に収容した後に、摘み５０１ｈから指を放すと、ロック部材５０１ｇが第１の記憶媒体１０１の筐体１０１ａのガイド溝１０１ｃ（凹部）及びロック溝１０１ｆ（凹部）に係合し、第１の記憶媒体１０１を矢印Ｅ方向に押圧する。押圧された第１の記憶媒体１０１は矢印Ｅ方向に移動し、凸部５０１ｃがガイド溝１０１ｃ及びロック溝１０１ｅに係合する。そして、やがて、凸部５０１ｃとガイド溝１０１ｃ及びロック溝１０１ｅが接する位置で第１の記憶媒体１０１の動きが停止し、第１の記憶媒体１０１の収容部５０１ｂ内への収容が完了する。
【手続補正１６】
【補正対象書類名】明細書
【補正対象項目名】００５３
【補正方法】変更
【補正の内容】
【００５３】
図６に示すように、第１の記憶媒体１０１がアダプタ５０１の収容部５０１ｂ内に収容された状態で、第１の記憶媒体１０１のコネクタ１０１ｂの位置は、図１で示したコネクタ１０２ｂの位置と外形に対する相対的位置が同じになるように設定されている。
【手続補正１７】
【補正対象書類名】明細書
【補正対象項目名】００５６
【補正方法】変更
【補正の内容】
【００５６】
アダプタ５０１の収容部５０１ｂ内に収容された第１の記憶媒体１０１のコネクタ１０１ｂが収容方向前部の所定の位置に配置されているため、第１の記憶媒体１０１を装着したアダプタ５０１を電子機器２０１の第２の記憶媒体用スロット２０１ｂ内に挿入すると、第１の記憶媒体１０１のコネクタ１０１ｂと電子機器２０１のコネクタ２０１ｆとが嵌合し、基板２０１ｇと第１の記憶媒体１０１とが電気的に接続される。第１の記憶媒体１０１を電子機器２０１のスロット２０１ｂから離脱する際は、アダプタ５０１の側面を掴み、スロット２０１ｂの外方へ引き抜くものである。
【手続補正１８】
【補正対象書類名】明細書
【補正対象項目名】００５８
【補正方法】変更
【補正の内容】
【００５８】
以上のように、本実施の形態に係るアダプタ５０１によれば、そのアダプタ５０１を使用して第１の記憶媒体１０１を電子機器２０１の第２の記憶媒体用スロット２０１内に装着する場合であっても、第１の記憶媒体１０１のコネクタ１０１ｂが第２の記憶媒体用スロット２０１内のコネクタ２０１ｆと直接嵌合し、電気的に直接接続するため、データ伝送経路の構成がシンプルになる。
【手続補正１９】
【補正対象書類名】明細書
【補正対象項目名】００５９
【補正方法】変更
【補正の内容】
【００５９】
また、アダプタ５０１内に第１の記憶媒体１０１のコネクタ１０１ｂと電子機器２０１の第２の記憶媒体用スロット２０１ｂ内のコネクタ２０１ｆとのインタフェースを変換するための中間介在回路が不要となるため、高速データ伝送の信頼性が向上する。
【手続補正２０】
【補正対象書類名】明細書
【補正対象項目名】００６２
【補正方法】変更
【補正の内容】
【００６２】
図８は、本実施の形態に係る変換アダプタ及び第１の記憶媒体の構成を示す斜視図であり、同図において、上述した第１の実施の形態の図１と同一部分には同一符号が付してある。
【手続補正２１】
【補正対象書類名】明細書
【補正対象項目名】００６３
【補正方法】変更
【補正の内容】
【００６３】
図８において、８０１は本実施の形態に係る変換アダプタ（以下、アダプタと記述する。）で、平面四角形状の筐体８０１を有している。この筐体８０１aには、第１の記憶媒体１０１が余裕を持って収容できる収容部８０１ｂが設けられている。この収容部８０１ｂには、軸８０１ｃによって回動可能に支持された蓋８０１ｄが設けられている。この蓋８０１ｄは、収容した第１の記憶媒体１０１が上方向に離脱しないように規制を行う。また、蓋８０１ｄには、収容した第１の記憶媒体１０１のロック溝１０１ｅ，１０１ｆに係合して第１の記憶媒体１０１の位置を決めるためのボス８０１ｅ，８０１ｆが設けられている。また、蓋８０１ｄは、自身の位置を規制するための穴８０１ｇ，８０１ｈを有し、蓋８０１ｄが閉口方向に倒れると、収容部８０１ｂの両側に配置されたボス８０１ｊ，８０１ｋが穴８０１ｇ，８０１ｈにそれぞれ係合し、蓋８０１ｄが所定の位置にセットされるようになっている。また、蓋８０１ｄには、ビス止め用の穴８０１ｍ，８０１ｎが設けられている。また、収容部８０１ｂの両側にもビス止め用の穴８０１ｏ，８０１ｐが設けられている。更に、筐体８０１ａの外部両側面には、ガイド溝８０１ｑ，８０１ｒが設けられている。これらのガイド溝８０１ｑ，８０１ｒは、電子機器２０１のスロット２０１ｂの内部両側のガイドレール３０１ｃ，３０１ｄに係合するようになっている。
【手続補正２２】
【補正対象書類名】明細書
【補正対象項目名】００６７
【補正方法】変更
【補正の内容】
【００６７】
更に、図８で示した蓋８０１ｄのボス８０１ｅ，８０１ｆが第１の記憶媒体１０１の筐体１０１ａのロック溝１０１ｅ，１０１ｆに係合することにより、第１の記憶媒体１０１は、前後左右方向に動かないように規制されると共に、アダプタ８０１の所定の位置に第１の記憶媒体１０１のコネクタ１０１ｂが位置するようになっている。
【手続補正２３】
【補正対象書類名】明細書
【補正対象項目名】００６８
【補正方法】変更
【補正の内容】
【００６８】
本実施の形態に係るアダプタ８０１の筐体８０１ａは、上述した第１の実施の形態における図１で示した第２の記憶媒体１０２の筐体１０２ａと同じ外形寸法であり、第１の記憶媒体１０１のコネクタ１０１ｂが配置される場所も、第２の記憶媒体１０２のコネクタ１０２ｂと同じ位置にある。
【手続補正２４】
【補正対象書類名】明細書
【補正対象項目名】００７１
【補正方法】変更
【補正の内容】
【００７１】
【図１】第１の実施の形態に係る変換アダプタに挿入して使用される第１の記憶媒体及びこの第１の記憶媒体より大きなサイズの第２の記憶媒体の構成を示す斜視図である。
【図２】第１の実施の形態に係る変換アダプタに挿入して使用される記憶媒体及び電子機器の構成を示す斜視図である。
【図３】第１の実施の形態に係る変換アダプタに挿入して使用される記憶媒体及び電子機器の構成を示す斜視図である。
【図４】第１の実施の形態に係る変換アダプタに挿入して使用される記憶媒体及びロック部材の構成を示す斜視図である。
【図５】第１の実施の形態に係る変換アダプタに第１の憶媒体を収容する寸前の状態を示す斜視図である。
【図６】第１の実施の形態に係る変換アダプタに第１の記憶媒体を収容した状態を示す斜視図である。
【図７】図６に示す状態の第１の実施の形態に係る変換アダプタを電子機器に装着した状態を示す斜視図である。
【図８】第２の実施の形態に係る変換アダプタに第１の記憶媒体を収容する寸前の状態を示す斜視図である。
【図９】第２の実施の形態に係る変換アダプタに第１の記憶媒体を収容した状態を示す記憶媒体及び変換アダプタの斜視図である。
【図１０】従来の変換アダプタと記憶媒体の構成を示す斜視図である。
【手続補正２５】
【補正対象書類名】明細書
【補正対象項目名】００７２
【補正方法】変更
【補正の内容】
【００７２】
１０１      第１の記憶媒体
１０１ａ    筐体
１０１ｂ    コネクタ
１０１ｃ    ガイド溝
１０１ｄ    ガイド溝
１０２      第２の記憶媒体
２０１      電子機器
２０１ａ    筐体
２０１ｂ    第２の記憶媒体用スロット
２０１ｄ    ガイドレール
２０１ｅ    ガイドレール
２０１ｆ    コネクタ
３０１      電子機器
５０１      変換アダプタ
５０１ａ    筐体
５０１ｂ    収容部
５０１ｃ    凸部
５０１ｇ    ロック部材
５０１ｊ    ガイド溝
５０１ｋ    ガイド溝
８０１      変換アダプタ
８０１ａ    筐体
８０１ｂ    収容部
【手続補正２６】
【補正対象書類名】図面
【補正対象項目名】図７
【補正方法】変更
【補正の内容】
【図７】
2005301604.tif 000001
【手続補正２７】
【補正対象書類名】図面
【補正対象項目名】図８
【補正方法】変更
【補正の内容】
【図８】
2005301604.tif 000002